(57)【要約】【課題】  被測定者の状態を、算出された拍動のゆらぎに基づいて被測定者に直感的にわかりやすく表示するとともに、当該状態に適したアドバイスを被測定者に提供することを目的とする。【解決手段】  被測定者の拍動を検出し、拍動間隔を抽出する抽出手段と、前記抽出手段により抽出された拍動間隔に基づいて、時間領域解析を行うことで拍動のゆらぎ度を解析する解析手段と、前記解析手段により解析された拍動のゆらぎ度を規格化することで得られた規格化データを、外的刺激に対する前記被測定者の抗力に関する情報として表示する第１の表示手段（５０３）と、前記規格化データと対応付けて記録されたメッセージを読み出し、該規格化データの表示と対応付けて表示する第２の表示手段（５０４）とを備える。【選択図】  図５
2009022478.tif 000002
【特許請求の範囲】
【請求項１】
被測定者の拍動を検出し、拍動間隔を抽出する抽出手段と、
前記抽出手段により抽出された拍動間隔に基づいて、時間領域解析を行うことで拍動のゆらぎ度を解析する解析手段と、
前記解析手段により解析された拍動のゆらぎ度を規格化することで得られた規格化データを、外的刺激に対する前記被測定者の抗力に関する情報として表示する第１の表示手段と、
前記規格化データと対応付けて記録されたメッセージを読み出し、該規格化データの表示と対応付けて表示する第２の表示手段と
を備えることを特徴とする状態管理装置。
【請求項２】
被測定者の拍動を検出し、拍動間隔を抽出する抽出手段と、
前記抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記座標データのばらつきを算出するばらつき算出手段と、
前記ばらつき算出手段により算出されたばらつきを規格化することで得られた規格化データを、外的刺激に対する前記被測定者の抗力に関する情報として表示する第１の表示手段と、
前記規格化データと対応付けて記録されたメッセージを読み出し、該規格化データの表示と対応付けて表示する第２の表示手段と
を備えることを特徴とする状態管理装置。
【請求項３】
前記規格化データを記録するデータ記録手段と、
前記データ記録手段に記録された規格化データを読み出し、グラフ化して表示する第３の表示手段と
を更に備えることを特徴とする請求項１または２に記載の状態管理装置。
【請求項４】
前記データ記録手段より読み出された規格化データの経時変化を解析することで得られる、該規格化データの変化の傾向に対応付けて記録されたメッセージを読み出し、前記グラフ化された規格化データの表示と対応付けて表示する第４の表示手段を更に備えることを特徴とする請求項３に記載の状態管理装置。
【請求項５】
被測定者の拍動を検出し、拍動間隔を抽出する抽出手段と、
前記抽出手段により抽出された拍動間隔に基づいて、単位時間当たりの拍動数を算出するとともに、時間領域解析を行うことで拍動のゆらぎ度を解析する解析手段と、
前記被測定者の脳波を検出することで得られた脳波データを取得する取得手段と、
前記拍動数と拍動のゆらぎ度と脳波データとを予め定められた定数を用いて乗加算し、規格化することで得られた規格化データを、被測定者の精神状態を示す情報として表示する第１の表示手段と、
前記被測定者より入力されたメッセージを受け付け、前記規格化データと対応付けて記録するデータ記録手段と
を備えることを特徴とする状態管理装置。
【請求項６】
被測定者の拍動を検出し、拍動間隔を抽出する抽出手段と、
前記抽出されたｎ拍目の拍動間隔とｎ＋１拍目の拍動間隔とを、２次元グラフ領域の縦軸または横軸として順次プロットする場合の各座標データを算出する座標算出手段と、
前記抽出手段により抽出された拍動間隔に基づいて、単位時間当たりの拍動数を算出する拍動数算出手段と、
所定時間内に算出された前記座標データのばらつきを算出するばらつき算出手段と、
前記被測定者の脳波を検出することで得られた脳波データを取得する取得手段と、
前記拍動数と拍動のゆらぎ度と脳波データとを予め定められた定数を用いて乗加算し、規格化することで得られた規格化データを、被測定者の精神状態を示す情報として表示する第１の表示手段と、
前記被測定者より入力されたメッセージを受け付け、前記規格化データと対応付けて記録するデータ記録手段と
を備えることを特徴とする状態管理装置。
【請求項７】
前記データ記録手段に記録された前記規格化データを、昇順または降順に並べ替えて、対応するメッセージとともに表示する第２の表示手段を備えることを特徴とする請求項５または６に記載の状態管理装置。
【請求項８】
被測定者の拍動を検出し、拍動間隔を抽出する抽出工程と、
前記抽出工程において抽出された拍動間隔に基づいて、時間領域解析を行うことで拍動のゆらぎ度を解析する解析工程と、
前記解析工程において解析された拍動のゆらぎ度を規格化することで得られた規格化データを、外的刺激に対する前記被測定者の抗力に関する情報として表示する第１の表示工程と、
前記規格化データと対応付けて記録されたメッセージを読み出し、該規格化データの表示と対応付けて表示する第２の表示工程と
を備えることを特徴とする情報処理方法。
【請求項９】
被測定者の拍動を検出し、拍動間隔を抽出する抽出工程と、
前記抽出されたｎ拍目の拍動間隔とｎ＋１拍目の拍動間隔とを、２次元グラフ領域の縦軸または横軸として順次プロットする場合の各座標データを算出する座標算出工程と、
所定時間内に算出された前記座標データのばらつきを算出するばらつき算出工程と、
前記ばらつき算出工程において算出されたばらつきを規格化することで得られた規格化データを、外的刺激に対する前記被測定者の抗力に関する情報として表示する第１の表示工程と、
前記規格化データと対応付けて記録されたメッセージを読み出し、該規格化データの表示と対応付けて表示する第２の表示工程と
を備えることを特徴とする情報処理方法。
【請求項１０】
請求項８または９に記載の情報処理方法をコンピュータによって実現させるための制御プログラム。
【発明の詳細な説明】
【技術分野】
【０００１】
本発明は、心電波形や脈拍等の生体信号に基づいて算出される拍動のゆらぎを表示するための技術に関するものである。
【背景技術】
【０００２】
従来より、交感神経と副交感神経の亢進状態の評価方法として、ローレンツプロットが知られている。一般に交感神経と副交感神経とはバランスがとれていることが重要であり、交感神経と副交感神経とのバランスが乱れると、拍動のゆらぎに影響を及ぼす。
【０００３】
ローレンツプロットとは、この拍動のゆらぎを、心電波形や脈拍等の生体信号に基づいて可視化したものであり、広く知られている。
【０００４】
図１７、図１８は、心電波形に基づいてローレンツプロットを生成する方法を示した図である。図１７の１７０１に示すような心電波形が収集されると、まず、Ｒ波の位置が同定され、Ｒ−Ｒ間隔が算出される。Ｒ波とは心電波形のピーク部分をいい、Ｒ−Ｒ間隔とはＲ波のｎ拍目（ｎは任意の整数）とｎ＋１拍目の拍動間隔をいう。図１７の例では、Ｒ波の位置はそれぞれ、Ｒ１、Ｒ２、Ｒ３、Ｒ４と同定され、Ｒ−Ｒ間隔はそれぞれＴ２１、Ｔ３２、Ｔ４３（ｍｓｅｃ）と算出される。
【０００５】
そして、当該算出されたＲ−Ｒ間隔に基づいて、図１８に示す２次元グラフ領域に、Ｔ２１を横軸に、Ｔ３２を縦軸にプロットする。次に、Ｔ３２を横軸に、Ｔ４３を縦軸にプロットする。このような処理を、連続するＲ−Ｒ間隔に対して順次行うことで、ローレンツプロットが生成される。図１９は、生成されたローレンツプロットの一例を示す図であり、（ａ）は一般にバランスがとれた良好な状態を示しており、（ｂ）、（ｃ）はバランスがとれていない状態を示している（（ｂ）はストレス・疾患パターンを、（ｃ）は不整脈パターンをそれぞれ示している）。
【０００６】
このような方法により生成されるローレンツプロットを応用した技術として、本願出願人は、これまでいくつかの提案を行っている。例えば、下記特許文献１では、当該ローレンツプロットを心電波形の測定と並行してリアルタイムに表示させることで、被測定者がその場で拍動のゆらぎを把握できるリアルタイム拍動モニタを提案している。
【０００７】
また、下記特許文献２では、表示された被測定者のローレンツプロットに対して、被測定者の特徴情報（年齢と性別）に対応する平均的なローレンツプロットの分布領域を重畳して表示させることで、被測定者が拍動のゆらぎを対比して判断できるようにした心拍間隔表示装置を提案している。
【特許文献１】特開２００１−２１２０９５号公報
【特許文献２】特開２００１−２１２０８９号公報
【発明の開示】
【発明が解決しようとする課題】
【０００８】
しかしながら、上記特許文献１、２のように、ローレンツプロットとして可視化される拍動のゆらぎは、定量的であるという長所がある一方で、被測定者にとっては、ローレンツプロットを見ただけでは、自身の状態を直感的に把握しにくいという問題がある。また、自身の状態を把握できた場合でも（例えば、状態の良し悪し程度は把握できた場合でも）、一般に被測定者は医学的知識に乏しいため、当該拍動のゆらぎの状態を踏まえてどのような点に注意して行動すべきかいったことまではわからないという問題もある。
【０００９】
本発明は、上記課題に鑑みてなされたものであり、被測定者の状態を、算出された拍動のゆらぎに基づいて被測定者に直感的にわかりやすく表示するとともに、当該状態に適したアドバイスを被測定者に提供することを目的とする。
【課題を解決するための手段】
【００１０】
上記の目的を達成するために本発明に係る状態管理装置は以下のような構成を備える。即ち、
被測定者の拍動を検出し、拍動間隔を抽出する抽出手段と、
前記抽出手段により抽出された拍動間隔に基づいて、時間領域解析を行うことで拍動のゆらぎ度を解析する解析手段と、
前記解析手段により解析された拍動のゆらぎ度を規格化することで得られた規格化データを、外的刺激に対する前記被測定者の抗力に関する情報として表示する第１の表示手段と、
前記規格化データの値に対応付けて記録されたメッセージを読み出し、該規格化データの表示に対応付けて表示する第２の表示手段とを備える。
【発明の効果】
【００１１】
本発明によれば、被測定者の状態を、算出された拍動のゆらぎに基づいて被測定者に直感的にわかりやすく表示するとともに、当該状態に適したアドバイスを被測定者に提供することが可能になる。
【発明を実施するための最良の形態】
【００１２】
以下、必要に応じて添付図面を参照しながら本発明の各実施形態を詳細に説明する。以下の実施形態のうち、第１乃至第３の実施形態では、算出される拍動のゆらぎを、外的要因に基づく刺激に対する被測定者の抗力の度合いと捉え、外的要因に基づく刺激に対する“ディフェンス度”及び“オフェンス度”として表現し、当該観点から、被測定者に対して、アドバイスを表示することを特徴とする。
【００１３】
また、第４の実施形態では、更に、拍動のみならず脳波データも取り入れ、拍動のゆらぎに基づいて心地よさ度を算出することで、拍動のゆらぎを、外的要因に基づく刺激により生じた被測定者の精神状態と捉え、“エキサイト度”及び“ほのぼの度として表現し、当該観点から、被測定者に対して、アドバイスを表示することを特徴とする。
【００１４】
なお、以下の各実施形態では、拍動のゆらぎとして、時間領域解析の幾何学的図形解析法の１つであるローレンツプロットを算出する装置について説明するが、本発明は以下に記載の実施形態に限定されるものではない。例えば、他の拍動のゆらぎの指標として、時間領域解析の幾何学的図形解析法の１つであるトライアングルインデックスや、時間／領域解析であるＳＤＮＮ、ＳＤＡＮＮ、ｒ−ＭＳＳＤ、ＲＲ５０（ＮＮ５０）、ｐＮＮ５０（φ0ＮＮ５０）、ＣＶＲＲ等を算出する装置についても同様に適用可能である。
【００１５】
［第１の実施形態］
１．装置の外観構成
図１は、本発明の第１の実施形態にかかる状態管理装置の外観構成を示す図である。同図において、１０１はハウジングであり、内部の電子機器を覆うとともに、装置の外形を形成する。ハウジング１０１の一部分（不図示）には、心電波形を検出するための電極が埋め込まれており、被測定者が当該部分に手のひらを当てることにより、被測定者の心電波形を検出することができる。
【００１６】
１０２は表示部であり、検出された心電波形に基づいて時間領域解析法の幾何学的図形解析法の１つとして得られるローレンツプロットより算出される拍動のゆらぎ度に基づいて算出されるディフェンス度及びオフェンス度（詳細は後述）を表示する。
【００１７】
１０３−１〜１０３−３は操作部であり、被測定者による各種操作を入力する。
【００１８】
２．装置の機能構成
図２は、本発明の第１の実施形態にかかる状態管理装置の機能構成を示す図である。同図において、２０１はクロック部であり、クロック信号を発振し、ＣＰＵ２０２に供給する。２０２はＣＰＵであり、クロック部２０１より発振されたクロック信号に基づいて動作する。２０３はＲＡＭであり、ＣＰＵ２０２において処理されるプログラムのワークエリアとして機能するとともに、プログラム処理時にデータ等を一時的に記憶する記憶手段としても機能する。２０４はＲＯＭであり、ＣＰＵ２０２にて処理されるプログラムが格納されている。
【００１９】
２０５は表示部であり、ＣＰＵ２０２において処理された処理結果を表示する。２０６は操作部であり、被測定者からの指示入力を受け付ける。２０７は電極であり、被測定者の心電波形を検出し、電気信号を出力する。２０８はアンプであり、電極２０７より出力された電気信号を増幅するとともに、デジタル信号（以下、拍動測定データ）に変換する。
【００２０】
２０９はデータ記録部であり、ＣＰＵ２０２における処理の結果得られたディフェンス度及びオフェンス度を測定日時と対応付けて記録する。
【００２１】
ＲＯＭ２０４に格納されたプログラムにより実現される機能を２２１から２２８に示す。２２１は拍動受信処理部であり、アンプ２０８より出力された拍動測定データを受信する。２２２は拍動間隔算出処理部であり、受信した拍動測定データに基づいて、心電波形のＲ波を同定したのち、各Ｒ−Ｒ間隔を算出し、ローレンツプロットデータ（２次元グラフ領域にローレンツプロットを表示するための座標データ）を生成する。
【００２２】
２２３はオフェンス度／ディフェンス度算出部であり、生成されたローレンツプロットデータに基づいて、拍動のゆらぎ度を算出し、オフェンス度及びディフェンス度を求める。なお、拍動のゆらぎ度とは、２次元グラフ領域における分布領域の大きさ（本実施形態にあっては、ローレンツプロットデータのばらつき）のことをいい、オフェンス度とは、拍動のゆらぎを０〜１００％で規格化することにより算出される値である（例えば、無作為に抽出した多数の被測定者の拍動のゆらぎ度を予め測定しておき、拍動のゆらぎ度の分布を求め、その最小値を０％、最大値を１００％として規格化する）。また、ディフェンス度とは、１００％からオフェンス度を減算処理することにより得られる値である。
【００２３】
このように、本実施形態にかかる状態管理装置では、算出される拍動のゆらぎ度を、外的要因に基づく刺激に対する被測定者の抗力の度合いと捉え、拍動のゆらぎ度を規格化したうえで、オフェンス度／ディフェンス度と表現して出力する。
【００２４】
２２４は表示処理部であり、算出されたオフェンス度／ディフェンス度、ならびに対応するメッセージを表示する。また、過去のディフェンス度／オフェンス度を読み出し、後述するトレンド処理部２２７において処理することにより得られたトレンドグラフを表示するとともに、トレンド処理部２２７においてトレンドグラフを解析することにより得られた解析結果に対応するメッセージを表示する。
【００２５】
２２５はデータ記録処理部であり、算出されたオフェンス度／ディフェンス度を測定日時と対応付けて、データ記録部２０９に記録する。
【００２６】
２２６はメッセージ記憶部であり、算出されたオフェンス度／ディフェンス度に対応して表示すべきメッセージを記憶する。また、トレンド処理部２２７において処理することにより得られるトレンドグラフに対応して表示すべきメッセージを記憶する。
【００２７】
２２７はトレンド処理部であり、データ記録部２０９に記録された過去のオフェンス度、ディフェンス度を抽出し時系列（日毎、月毎、年毎）に配列し、トレンドグラフを生成する。また、生成されたトレンドグラフを解析する。なお、トレンドグラフの解析結果は、表示処理部２２４に送られる。
【００２８】
２２８はユーザ入力処理部であり、操作部２０６を介して入力された指示を受信する。
【００２９】
３．装置における処理の流れ（全体）
図３は、本発明の第１の実施形態にかかる状態管理装置における全体処理の流れを示すフローチャートである。ステップＳ３０１において装置の電源が投入されると、ステップＳ３０２では、表示部２０５に初期画面が表示される。
【００３０】
ステップＳ３０３では、被測定者によりどのような操作が行われたのかを判定する。被測定者により測定モード（後述）が選択されたと判定された場合には、ステップＳ３０４に進み、測定処理を実行する（測定処理の詳細は、後述）。また、被測定者によりトレンド表示モード（後述）が選択されたと判定された場合には、ステップＳ３０５に進み、トレンド表示処理を実行する（トレンド表示処理の詳細は、後述）。
【００３１】
ステップＳ３０６では、電源ＯＦＦ操作がなされたか否かを判定し、電源ＯＦＦ操作がなされていなければ、ステップＳ３０３に戻り、上記処理を繰り返す。
【００３２】
一方、ステップＳ３０６において電源ＯＦＦ操作がなされた場合には、処理を終了する。
【００３３】
４．測定処理（ステップＳ３０４）の詳細
図４、図５及び図８、９を用いて、測定処理（ステップＳ３０４）の詳細について説明する。図４は、測定処理（ステップＳ３０４）の詳細な流れを示すフローチャートである。
【００３４】
図５の５０１に示す初期画面において、被測定者が“測定モード”を選択すると、画面５０２に移行する。ステップＳ４０１では、画面５０２上で、“測定開始”ボタンが選択されたか否かを判定し、“測定開始”ボタンが選択されたと判定された場合には、ステップＳ４０２に進む。
【００３５】
ステップＳ４０２では、拍動受信処理部２２１が、拍動測定データの受信を開始する。ステップＳ４０３では、拍動受信処理部２２１で受信した拍動測定データに基づいて、拍動間隔算出処理部２２２が拍動間隔を算出し、ローレンツプロットデータを生成する。
【００３６】
ステップＳ４０３では、拍動測定データの受信開始から所定時間が経過したか否かを判定し、所定時間が経過していないと判定された場合には、ステップＳ４０２に戻る。一方、所定時間が経過したと判定された場合には、ステップＳ４０５に進む。
【００３７】
ステップＳ４０５では、オフェンス度／ディフェンス度算出部２２３が、所定時間内に算出されたローレンツプロットデータのばらつきに基づいて、拍動のゆらぎ度を算出する。更に、ステップＳ４０６では、算出された拍動のゆらぎ度を規格化し、オフェンス度／ディフェンス度を算出する。
【００３８】
ステップＳ４０７では、表示処理部２２４が、算出されたオフェンス度／ディフェンス度を表示部２０５に表示する（図５の５０３）。また、ステップＳ４０８では、表示処理部２２４が、メッセージ記憶部２２６に記憶されたメッセージの中から、算出されたオフェンス度／ディフェンス度に対応するメッセージを選択し表示する（図５の５０４）。図９の（Ａ）は、メッセージ記憶部２２６に記憶された、オフェンス度／ディフェンス度に対応するメッセージの一例を示す図である。図９の（Ａ）に示すように、メッセージ記憶部２２６には、オフェンス度／ディフェンス度の値ごとに最適なメッセージが記憶されている（なお、図９の（Ａ）では、算出されたオフェンス度／ディフェンス度の値に加え、測定日時に対応する季節ごとに分けて、メッセージが記憶されている。この結果、同じオフェンス度／ディフェンス度が算出された場合でも、測定日時が異なれば、異なるメッセージが表示されることとなる）。
【００３９】
ステップＳ４０９では、データ記録処理部２２５が、算出されたオフェンス度／ディフェンス度を測定日時と対応づけてデータ記録部２０９に記録する。図８はデータ記録部２０９に記録されたオフェンス度／ディフェンス度の一例を示す図である。
【００４０】
ステップＳ４１０では、データ記録部２０９に記録されたディフェンス度が継続的に低下しているか否かを判定する。当該判定は、例えば、オフェンス度／ディフェンス度算出部２２３が、データ記録部２０９に記録されている最近のディフェンス度（図８）を複数個を読み出し、時間の経過とともにディフェンス度が小さくなっているか否かを判定することにより行う。
【００４１】
ステップＳ４１０において、ディフェンス度が継続的に低下していると判定された場合には、ステップＳ４１１に進み、警告を表示する。図５の５０５は、ディフェンス度が継続的に低下していると判定され、警告が表示された様子を示す図である。
【００４２】
一方、ステップＳ４１０において、ディフェンス度が継続的に低下していると判定されなかった場合には、処理を終了する。
【００４３】
５．トレンド表示処理（ステップＳ３０５）の詳細
次に図６Ａ〜図９を用いてトレンド表示処理（ステップＳ３０５）の詳細について説明する。図６Ａは、トレンド表示処理（ステップＳ３０５）の流れを示すフローチャートである。
【００４４】
図７の７０１に示す初期画面において、被測定者が“トレンド表示モード”を選択すると、画面７０２に移行する。被測定者は、画面７０２において、トレンドグラフの表示方法として、“日表示”、“月表示”、“年表示”のいずれかの表示方法を選択することができる。ステップＳ６０１では、画面７０２上で選択された表示方法を判定する。
【００４５】
ステップＳ６０１において、“日表示”が選択されたと判定された場合には、ステップＳ６０２に進み、トレンド処理部２２７が、その日一日分のオフェンス度データをデータ記録部２０９より読み出し、トレンドグラフを生成する。図７の画面７０３は、トレンド処理部２２７において生成され、表示処理部２２４により表示されたトレンドグラフの一例を示す図である。
【００４６】
一方、ステップＳ６０１において“月表示”が選択されたと判定された場合には、ステップＳ６０３に進み、トレンド処理部２２７が１ヶ月分のオフェンス度データをデータ記録部２０９より読み出す。更に、ステップＳ６０４では、読み出した１ヶ月分のオフェンス度データを、日毎に平均化処理し、日毎の棒グラフからなる当該月のトレンドグラフを生成する。
【００４７】
また、ステップＳ６０１において“年表示”が選択されたと判定された場合には、ステップＳ６０５に進み、トレンド処理部２２７が、１年分のオフェンス度データをデータ記録部２０９より読み出す。更に、ステップＳ６０６では、読み出した１年分のオフェンス度データを、月毎に平均化処理し、月毎の棒グラフからなる当該年のトレンドグラフを生成する。
【００４８】
ステップＳ６０７では、生成されたトレンドグラフに基づいて、トレンド処理部２２７が被測定者の状態を解析する（なお、状態解析処理の詳細は図６Ｂを用いて後述する）。ステップＳ６０８では、表示処理部２２４がステップＳ６０７において解析された被測定者の状態に対応するメッセージを、メッセージ記憶部２２６より読み出し、表示する（図７の７０４）。図９の（Ｂ−１）〜（Ｂ−３）は、それぞれ、メッセージ記憶部２２６に記憶された、“日表示”のトレンドグラフに対するメッセージ、“月表示”のトレンドグラフに対するメッセージ、“年表示”のトレンドグラフに対するメッセージの一例を示す図である。また、図７の７０４は、“日表示”のトレンドグラフに対するメッセージが表示された様子を示す図である。
【００４９】
６．状態解析処理（ステップＳ６０７）の詳細
図６Ｂは、状態解析処理（ステップＳ６０７）の流れを示すフローチャートである。ステップＳ６１１では、トレンド処理部２２７が、現在選択されている表示方法が、“日表示”であるか、“月表示”であるか、“年表示”であるかを判定する。
【００５０】
ステップＳ６１１において、“日表示”であると判定された場合には、ステップＳ６１２に進み、過去１ヵ月分のオフェンス度データをデータ記録部２０９より読み出し、一日あたりの平均のオフェンス度を算出する。そして、算出された日平均オフェンス度と、その日１日の各時刻におけるオフェンス度とをそれぞれ対比する。これにより、１日の各時刻のオフェンス度のうち、日平均オフェンス度を上回る時間帯を解析する。この結果、１日のうち、オフェンス度が高い時間帯を導きだすことができ、これに対応する適切なメッセージを表示することが可能となる。
【００５１】
同様に、ステップＳ６１１において、“月表示”であると判定された場合には、ステップＳ６１３に進み、トレンド処理部２２７が、過去１年分のオフェンス度データをデータ記録部２０９より読み出し、１ヶ月あたりの平均のオフェンス度を算出する。そして、算出された月平均オフェンス度と、その年１年の各月におけるオフェンス度とをそれぞれ対比する。これにより、１年の各月のオフェンス度のうち、月平均オフェンス度を上回る月を解析する。これにより、１年のうち、オフェンス度が高い月を導き出すことができ、これに対応する適切なメッセージを表示することが可能となる。
【００５２】
同様に、ステップＳ６１１において、“年表示”であると判定された場合には、ステップＳ６１４に進み、これまでのオフェンス度データをデータ記録部２０９より読み出し、１年あたりの平均にオフェンス度を算出する。そして、算出された年平均オフェンス度と、各年におけるオフェンス度とをそれぞれ対比する。これにより、各年のオフェンス度のうち、年平均オフェンス度を上回る年を解析する。これにより、オフェンス度が高い年を導き出すことができ、これに対応する適切なメッセージを表示することが可能となる。
【００５３】
このように、状態解析処理では、平均のオフェンス度との対比から、オフェンス度の変化の傾向を解析し、これに対応するメッセージを表示する。
【００５４】
以上の説明から明らかなように、本実施形態では、測定された拍動のゆらぎを、外的要因に基づく刺激に対する被測定者の抗力の度合いと捉え、“ディフェンス度”及び“オフェンス度”として、被測定者に対して、対応するアドバイスとともに表示する構成とした。
【００５５】
この結果、被測定者は、測定された拍動のゆらぎに基づいて、自身の状態を直感的に把握することが可能となると共に、どのような点に気をつけるべきかを認識することが可能となる。
【００５６】
また、本実施形態では、算出された“ディフェンス度”及び“オフェンス度”を測定日時に対応付けて記録し、トレンドグラフとして表示するとともに、変化の傾向を解析することで、これに対応するメッセージを表示する構成とした。
【００５７】
この結果、被測定者は、過去の自身の状態の変化を把握することが可能となるうえ、どのような傾向があるかを認識することが可能となる。
【００５８】
［第２の実施形態］
上記第１の実施形態では、トレンドグラフとして棒グラフを表示することとしたが、本発明はこれに限られず、他の形式のグラフであってもよい。また、トレンドグラフと合わせて、状態解析処理において算出された日平均オフェンス度（あるいは、月平均オフェンス度、年平均オフェンス度）を表示するようにしてもよい。また、表示されたトレンドグラフを指し示した際には、オフェンス度の具体的数値がポップアップするように構成してもよい。
【００５９】
［第３の実施形態］
上記第１の実施形態では、検出した心電波形に基づいて算出されたオフェンス度／ディフェンス度に対してメッセージを表示することとしたが、本発明はこれに限られない。
【００６０】
心電波形の検出と並行して、体温の計測を行い、計測結果を入力することで、体温の計測結果に対するコメントもあわせて表示するようにしてもよい。
【００６１】
図１０は、本実施形態にかかる状態管理装置における機能構成を示す図である。なお、ここでは、図２との相違点について説明する。
【００６２】
１０２８は、ユーザ入力処理部であり、操作部２０６を介して入力された体温測定データを受け付ける。
【００６３】
１０２６は、メッセージ記憶部である。メッセージ記憶部２２６との違いは、入力された体温測定データの解析結果に対応するメッセージが記憶されている点である。図１１は、メッセージ記憶部１０２６に記憶されているメッセージの一例を示す図である。図１１の（Ａ−２）は、体温測定データの解析結果に対応するメッセージの一例である。
【００６４】
１０２９は、体温データ解析部であり、操作部２０６を介して入力された被測定者の体温測定データを受信し、これまでに受信した体温測定データとあわせて解析する。具体的には、これまでに受信している体温測定データに基づいて、現在、被測定者が低体温期にあるのか高体温期にあるのかを判定するとともに、低体温期（または高体温期）の何日目であるかを解析する。
【００６５】
１０２４は、表示処理部であり、体温データ解析部１０２９における解析結果に対応するメッセージをメッセージ記憶部１０２６から読み出し、表示する。
【００６６】
図１２は、オフェンス度／ディフェンス度（５０３）と、対応するメッセージ（５０４）とを表示するとともに、入力された体温測定データの解析結果に対応するメッセージ（１２０１）を表示した様子を示す図である。
【００６７】
１０２５は、データ記録処理部であり、算出されたオフェンス度／ディフェンス度に加え、入力された体温測定データを、測定日時と対応付けて、データ記録部２０９に記録する。
【００６８】
このように、オフェンス度／ディフェンス度に対応するメッセージとともに、体温測定データの解析結果に対応するメッセージも表示することで、被測定者は、状態管理装置を用いて、自身の状態を総合的に把握することが可能となる。
【００６９】
［第４の実施形態］
上記第１乃至第３の実施形態では、心電波形を検出することで算出された拍動のゆらぎを、外的要因に基づく刺激に対する被測定者の抗力の度合いと捉えることとしたが、本発明はこれに限られない。例えば、心電波形と並行して、脳波を測定し、被測定者の心地よさ度を算出することで、拍動のゆらぎを、外的要因に基づく刺激により生じた被測定者の精神状態と捉え、これに対応するメッセージを表示するようにしてもよい。
【００７０】
１．装置の機能構成
図１３は、本実施形態にかかる状態管理装置の機能構成を示す図である。なお、ここでは、図２の機能構成との相違点について説明する。
【００７１】
図１３において、１３０１は脳波データ入力部であり、脳波計と接続され、脳波計の出力（脳波測定データ）を入力する。
【００７２】
１３２９は脳波測定データ処理部であり、脳波測定データ入力部１３０１より入力される脳波測定データを受信する。
【００７３】
１３２２は、拍動間隔算出処理部であり、受信した拍動測定データに基づいて、心電波形のＲ波を同定したのち、各Ｒ−Ｒ間隔を算出し、ローレンツプロットデータを生成するともに、単位時間あたりの拍動数（例えば、１分間あたりの拍動数）を算出する。
【００７４】
１３２３は、エキサイト度／ほのぼの度算出部である。エキサイト度／ほのぼの度算出部１３２３では、拍動間隔算出処理部１３２２において生成されたローレンツプロットデータに基づいて、拍動のゆらぎ度を算出するとともに、拍動間隔算出処理部１３２２において算出された拍動数と、脳波測定データ１３２９において受信された脳波測定データとを用いて、心地よさ度を算出する。なお、心地よさ度の算出方法は、以下の通りである。
心地よさ度＝Ａ×拍動数＋Ｂ×ゆらぎ度＋Ｃ×α波＋Ｄ
ただし、Ａ、Ｂ、Ｃ、Ｃは係数とする。
【００７５】
更に、心地よさ度に基づいてエキサイト度及びほのぼの度を求める。なお、エキサイト度とは、心地よさ度を０〜１００％で規格化することにより算出される値である（例えば、無作為に抽出した多数の被測定者の心地よさ度を予め測定しておき、心地よさ度の分布を求め、その最小値を０％、最大値を１００％として規格化する）。また、ほのぼの度とは、１００％からエキサイト度を減算処理することにより得られる値である。
【００７６】
２．測定処理の詳細
次に本実施形態にかかる状態管理装置の測定処理の流れについて図１４、図１５を用いて説明する。なお、本実施形態にかかる状態管理装置の全体処理は、図３と同様であるため、説明は省略する（ただし、本実施形態の場合、被測定者の操作は、“測定モード”と“ランキング表示モード”のいずれかの選択となる）。
【００７７】
図１５の１５０１に示す初期画面において、被測定者が“測定モード”を選択すると、画面１５０２に移行する。ステップＳ４０１では、画面１５０２上で、“測定開始”ボタンが選択されたか否かを判定し、“測定開始”ボタンが選択されたと判定された場合には、ステップＳ１４０２に進む。
【００７８】
ステップＳ１４０２では、拍動受信処理部２２１が、拍動測定データの受信を開始する。また、脳波測定データ処理部１３２９が、脳波測定データの受信を開始する。ステップＳ４０３では、拍動受信処理部２２１で受信した拍動測定データに基づいて、拍動間隔算出処理部２２２が拍動間隔を算出し、ローレンツプロットデータを生成するとともに、単位時間当たり（例えば、１分間あたり）の拍動数を算出する。
【００７９】
ステップＳ４０４では、拍動測定データの受信ならびに脳波測定データの受信開始から所定時間が経過したか否かを判定し、所定時間が経過していないと判定された場合には、ステップＳ１４０２に戻る。一方、所定時間が経過したと判定された場合には、ステップＳ４０５に進む。
【００８０】
ステップＳ１４０５では、エキサイト度／ほのぼの度算出部１３２３が、所定時間内に算出されたローレンツプロットデータのばらつきに基づいて、拍動のゆらぎ度を算出する。また、所定時間内に受信した脳波（α波）測定データの平均値を算出する。さらに、所定時間内の平均の拍動数を算出する。
【００８１】
ステップＳ１４０６では、エキサイト度／ほのぼの度算出部１３２３が、ステップＳ１４０５で算出した、拍動のゆらぎ度、α波、拍動数とを用いて、心地よさ度を算出する。更に、算出された心地よさ度を０〜１００％で規格化することで、エキサイト度を算出する。更に、算出されたエキサイト度、１００％から減算処理することで、ほのぼの度を算出する。
【００８２】
ステップＳ１４０７では、算出されたエキサイト度とほのぼの度を表示する（図１５の１５０３）。ステップＳ１４０８では、表示されたエキサイト度とほのぼの度を見て被測定者が入力するコメントを受け付ける（図１５の１５０４）。
【００８３】
ステップＳ１４０９では、算出されたエキサイト度とほのぼの度と、入力されたコメントとを測定日時と対応付けてデータ記録部２０９に記録し、処理を終了する。
【００８４】
３．ランキング表示処理の詳細
次に、図１６を用いてランキング表示処理について説明する。図１６の１６０１に示す初期画面において、被測定者が“ランキング表示モード”を選択すると、表示処理部２２４では、データ記録部２０９に時系列に記録されているエキサイト度等を、エキサイト度が高い順にソートし表示する。
【００８５】
図１６の１６０２は、表示処理部２２４によりソート後のエキサイト度等が表示された様子を示す図である。図１６の１６０２に示すように、エキサイト度とともに、測定日時ならびに、被測定者により入力されたコメントが表示される。
【００８６】
また、ほのぼの度が高い順にソートされた場合には、図１６の１６０３のようになる。つまり、ほのぼの度が高い順に、測定日時およびコメントが表示される。
【００８７】
以上の説明から明らかなように、本実施形態では、測定された拍動のゆらぎに対して、拍動数および脳波測定データを加算し心地よさ度を算出することで、拍動のゆらぎを、外的要因に基づく刺激により生じた被測定者の精神状態と捉え、“エキサイト度”及び“ほのぼの度”として被測定者に表示する構成とした。
【００８８】
この結果、被測定者は、自身の精神状態を直感的に把握することが可能となる。
【００８９】
また、本実施形態では、表示された“エキサイト度”及び“ほのぼの度”に対して、被測定者がコメントを入力することができるように構成し、入力されたコメントを、“エキサイト度”及び“ほのぼの度”と対応付けて記録する構成とした。
【００９０】
この結果、被測定者は、過去の自身の状態を、コメントに基づいて解析することが可能となる。
【図面の簡単な説明】
【００９１】
【図１】本発明の第１の実施形態にかかる状態管理装置の外観構成を示す図である。
【図２】本発明の第１の実施形態にかかる状態管理装置の機能構成を示す図である。
【図３】本発明の第１の実施形態にかかる状態管理装置における全体処理の流れを示すフローチャートである。
【図４】測定処理（ステップＳ３０４）の流れを示すフローチャートである。
【図５】測定処理時の表示部の表示内容の遷移を示す図である。
【図６Ａ】トレンド表示処理（ステップＳ３０５）の流れを示すフローチャートである。
【図６Ｂ】状態解析処理（ステップＳ６０７）の流れを示すフローチャートである。
【図７】トレンド表示処理時の表示部の表示内容の遷移を示す図である。
【図８】データ記録部２０９に記録されたオフェンス度／ディフェンス度の一例を示す図である。
【図９】メッセージ記憶部２２６に記憶されたメッセージの一例を示す図である。
【図１０】本発明の第３の実施形態にかかる状態管理装置における機能構成を示す図である。
【図１１】メッセージ記憶部２２６に記憶されているメッセージの一例を示す図である。
【図１２】オフェンス度／ディフェンス度と、対応するメッセージとを表示するとともに、入力された体温測定データに対応するメッセージを表示した様子を示す図である。
【図１３】本発明の第４の実施形態にかかる状態管理装置の機能構成を示す図である。
【図１４】本発明の第４の実施形態にかかる状態管理装置における測定処理の流れを示すフローチャートである。
【図１５】測定処理時の表示部の表示内容の遷移を示す図である。
【図１６】ランキング表示処理時の表示部の表示内容の遷移を示す図である。
【図１７】心電波形に基づくローレンツプロット方法を説明するための図である。
【図１８】心電波形に基づくローレンツプロット方法を説明するための図である。
【図１９】ローレンツプロットの一例を示す図である。
【図１】
2009022478.tif 000003
【図２】
2009022478.tif 000004
【図３】
2009022478.tif 000005
【図４】
2009022478.tif 000006
【図５】
2009022478.tif 000007
【図６Ａ】
2009022478.tif 000008
【図６Ｂ】
2009022478.tif 000009
【図７】
2009022478.tif 000010
【図８】
2009022478.tif 000011
【図９】
2009022478.tif 000012
【図１０】
2009022478.tif 000013
【図１１】
2009022478.tif 000014
【図１２】
2009022478.tif 000015
【図１３】
2009022478.tif 000016
【図１４】
2009022478.tif 000017
【図１５】
2009022478.tif 000018
【図１６】
2009022478.tif 000019
【図１７】
2009022478.tif 000020
【図１８】
2009022478.tif 000021
【図１９】
2009022478.tif 000022